(57)【要約】【課題】地上高３０乃至４０センチメートルになる高設栽培装置の培土にトマト苗を植えても作業性がよく多収穫が可能なトマトの栽培方法を提案する。【解決手段】第一段階では、培土に植えたトマト苗の主枝１に最初についた花芽３ａから２枚目の葉の直上５ａで茎を剪定して主枝を形成し、第二段階では、前記の花芽３ａの下にある最も強い脇芽７を選んで残し、その他の小さい脇芽をハサミで切除する。前記の脇芽７を側枝２ａに生育し、この側枝に最初に付いた花芽３ｂから２枚目の葉の直上５ｂで茎を剪定し、花芽の下にある主枝又は側枝に芽生えている最も強い脇芽を選んで残し、強い脇芽を側枝２ａ，２ｂに生育して、主枝及び側枝のそれぞれに花芽３ａ，３ｂ，３ｃを発生させる。第三段階では、花芽の収穫が終了した枝は剪定して除去し、第一段階と第二段階と第三段階を繰り返すことにより収穫量の増量を可能にする。【選択図】図２
2004194556.tif 000002
【特許請求の範囲】
【請求項１】
第一段階では、培土に植えたトマト苗を最初は成長するに任せて、その主枝に最初についた花芽から２枚目の葉の直上で茎を剪定し、第二段階では、前記主枝の最も強い脇芽から側枝を生育し、この側枝の最初に付いた花芽から２枚目の葉の直上で茎を剪定し、第三段階では、花芽の収穫が終了した枝は剪定して除去し、以降第一段階と第二段階と第三段階を繰り返すことにより収穫量の増量を可能にするトマトの収穫量増量栽培方法。
【請求項２】
高設栽培装置に入れた培土にトマト苗を植えることを特徴とする請求項１に記載のトマトの収穫量増量栽培方法。
【請求項３】
主枝若しくは側枝の花芽の下に発生した最も強い脇芽を選んで残し、その他の脇芽を僅かに残して切除することにより新たに発生する脇芽を将来の結果枝に生育することを特徴とする請求項１に記載のトマトの収穫量増量栽培方法。
【発明の詳細な説明】
【０００１】
【発明の属する技術分野】本発明に係るトマトの収穫増量栽培方法は、高設栽培、土耕溶液栽培、ロックウール（無機質の培地）栽培、水耕栽培において収穫量を増加するための管理容易な作業性がよい栽培方法に関するものである。
【０００２】
【従来の技術】ナスの栽培方法として一芽切り返し法、キュウリの栽培方法として摘芯栽培法等がある。「切り返し」や「摘芯」は剪定の技術である。トマトの多収穫のための栽培方法としては、高設栽培、土耕溶液栽培、ロックウール（無機質培地）栽培、水耕栽培が適している事が知られている。例えば、トマトの水耕栽培を例に取れば、特開平９−６０号の発明の名称「トマト類の栽培方法」、特開平８ー４７３３４号の発明の名称「トマトの栽培方法」、特開平６−１８１６３５号の発明の名称「植物栽培方法」等がある。トマトの高設栽培の例として、特開平０５−３０８６０号の発明の名称「果菜類の振り分け栽培方法」がある。
【０００３】
【発明が解決しようとする課題】本発明は、地上高３０乃至４０センチメートルになる高設栽培装置の培土に植えても作業性がよく多収穫が可能なトマトの栽培方法を提案しようとするものである。本発明は実施例に示すごとく、高設栽培による管理容易な収穫の増量可能な栽培方法を提案しているものであるが、この発明を、土耕溶液栽培、ロックウール栽培、水耕栽培にも適応する事が出来る栽培方法として開発しようとするものである。
【０００４】
【課題を解決するための手段】本発明に係るトマトの収穫増量可能な栽培方法は、上記の課題を解決するために、第一段階では、培土に植えたトマト苗を最初は成長するに任せて、その主枝に最初についた花芽から２枚目の葉の直上で茎を剪定し、主枝に最初に発生した花芽を結果枝１２に仕立てる。第二段階では、その花芽の下に発生した最も強い脇芽を選んで残し、前記の脇芽に最初に付いた花芽から２枚目の葉の直上で茎を剪定し、花芽の下にある主枝又は側枝に発生している最も強い脇芽を選んで残し、第三段階では、花芽の収穫が終了した枝は剪定して除去し、以降主枝及び側枝において、第一段階から第三段階までを管理して、主枝及び側枝から強い脇芽を選んで側枝に生育してその側枝に発生した花芽を利用する事を繰り返して収穫量の増量を可能にするものである。
【０００５】請求項１に記載の発明は、第一段階では、培土に植えたトマト苗を最初は成長するに任せて、その主枝に最初についた花芽から２枚目の葉の直上で茎を剪定し、第二段階では、前記主枝の最も強い脇芽から側枝を生育し、この側枝の最初に付いた花芽から２枚目の葉の直上で茎を剪定し、第三段階では、花芽の収穫が終了した枝は剪定して除去し、以降第一段階と第二段階と第三段階を繰り返すことにより収穫量の増量を可能にするトマトの収穫量増量栽培方法である。
【０００６】請求項２に記載の本発明の実施態様は、高設栽培装置に入れた培土にトマト苗を植えることを特徴とする請求項１に記載のトマトの収穫量増量栽培方法である。
【０００７】請求項３に記載の本発明の実施態様は、主枝若しくは側枝の花芽の下に発生した最も強い脇芽を選んで残し、その他の脇芽を僅かに残して切除することにより新たに発生する脇芽を将来の結果枝に生育することを特徴とする請求項１に記載のトマトの収穫量増量栽培方法である。
【０００８】
【発明の実施の形態】本発明の技術的思想は、実施例において、次に記載のように具体化されて実施されることにより収穫量の増量へ繋がることになる。
【０００９】第一段階では、培土に植えたトマト苗を最初は成長するに任せて、その主枝に最初についた花芽から２枚目の葉の直上で茎を剪定し、主枝に発生した最初の花芽を結果枝に生育する。
【００１０】第二段階では、主枝のその花芽の下に発生した最も強い脇芽を選んで残し、側枝に生育する。その場合には、花芽の直下の脇芽若しくは培土表面に延びた主枝の下から二番目あたりの脇芽が最も強く成長するので、強い脇芽を一本選んで残すようにする。その他の小さい脇芽を僅かに残してハサミで切除する。その場合に脇芽を茎から５〜６ミリメートル残してハサミで切除する事が肝要である。新芽を結果枝に利用するために、脇芽をもぎ取らないように注意することが必要である。
【００１１】前記の強い脇芽に最初に付いた花芽から２枚目の葉の直上で茎を剪定し、花芽の下にある主枝又は側枝に発生している最も強い脇芽を選んで残す。そして、第一段階と同様に、新たに発生する脇芽を結果枝に仕立てるためにその他の小さい脇芽を茎から僅かに５〜６ミリメートル残してハサミで切除し、その僅かに残った脇芽に発生する新脇芽を伸長させるようにする。
【００１２】第三段階では、花芽の収穫が終了した枝は剪定して除去し、第一、第二段階で新たに発生する脇芽の内から残された強いものを側枝に生育し、側枝に結果枝を仕立てて、これらに花芽を付けて収穫量を増加させる。
【００１３】
【実施例】添付図面は、本発明に係るトマトの収穫量増量栽培方法の実施例について図示している。図１は、第一段階でトマトの主枝を剪定する箇所及び強い脇芽を示すトマトの正面図である。図２は、第二段階で花芽の下の主枝に発生した最も強い脇芽から生育した側枝を剪定する箇所を示すトマトの正面図である。図３は、第三段階で収穫が終了した枝を剪定する箇所を示すトマト正面図である。
【００１４】図面上では、高設栽培装置９の構造を示すために便宜上装置の側面を示している。この高設栽培装置９は、土台パイプに起立させる支柱パイプと、左右支柱パイプ間に連結される横扞パイプと、シート取り付けパイプで前記の支柱パイプを連結する高設栽培装置の骨組みを組み立てて、そのシート取り付けパイプ上に通水性シートを取り付けて、通水性シートの直下に排水プレートを設け、その通水性シートの上に有機質培土１０を入れて、地表からの高さおおよそ３０乃至４０センチメートルにトマト苗を植えることが出来るように作られる。高設栽培装置の上に鉄線を張って、それに紐で主枝及び側枝を吊って枝が混み合わないように管理する。
【００１５】第一段階では、培土に苗を植え付けて主枝１を生育し、これに最初の花芽３ａを発生させる課程である。図１に示すように前記の培土１０に植えたトマト苗を最初は成長するに任せて、その主枝１に最初についた花芽３ａから２枚目の葉の直上５ａで茎を剪定し除去する。このように最初の花芽の上２枚目の葉の上で剪定することにより、管理可能な作業性の良い樹形に仕立てる事が出来る。
【００１６】第二段階では、主枝１の中で最も強い脇芽７を残して、これを側枝２ａに生育して２番目の花芽３ｂを発生させるようにする課程である。その場合には、花芽３ａの直下の脇芽７若しくは培土表面に延びた主枝の下から二番目あたりの最も成長している強い脇芽７を一本選んで残すようにする。その他の小さい脇芽４を僅かに残してハサミで切除する。その場合に脇芽４を茎から５〜６ミリメートル残してハサミで切除する事が肝要である。何故なら、僅かに残した脇芽から二次的、三次的に発生する脇芽８の内強いものを側枝に生育し、その側枝に発生する花芽を後の結果枝に仕立てる可能性があるからである。
【００１７】図２に示すように、前記の花芽３ａの下に発生した最も強い脇芽７を側枝２ａに生育して、その側枝に２番目の花芽３ｂが発生し、この側枝２ａに最初に発生した花芽３ｂから２枚目の葉の直上５ｂで茎を剪定し除去する。
【００１８】更に第２の側枝２ｂを生育する場合には、いづれかの花芽３ａ，３ｂ．．．の下にある主枝又は側枝に発生している最も強い脇芽を選んで残し、同様に、新たに発生する強い脇芽を側枝として生育し、これに花芽を発生させることにより、これを結果枝に仕立てる事が出来る。そのために、その他の小さい脇芽８を茎から僅かに５〜６ミリメートル残してハサミで切除し、その僅かに残った脇芽に発生する新脇芽を伸長させるようにする。
【００１９】第三段階では、収穫終了後には花芽を付けた結果枝を切除することにより更に空間を広げて次の強い脇芽を側枝に生育する課程である。収穫が終了した枝１３は枝の付け根で剪定して除去し、第一、第二段階を経て新たに発生する脇芽の内から残された強いものを側枝２ｂに生育して、結果枝１２を仕立てて、これらに花芽３ｃを発生させてトマトの収穫量を増加させる。
【００２０】
【発明の効果】本発明の効果は、請求項１乃至請求項３の各項のいづれかに記載の構成により、次に記載の効果を奏するものである。
【００２１】第一段階では、主枝に最初についた花芽から２枚目の葉の直上で茎を剪定し、第二段階では、側枝の最初に付いた花芽から２枚目の葉の直上で茎を剪定し、第三段階では、花芽の収穫が終了した枝は剪定して除去することにより、作業性が良く、高設栽培装置上でも管理可能な栽培方法である。
【００２２】本発明の栽培方法は、土の条件、肥料の条件、温度の条件等の根域の環境を最適の環境に維持する事により、強い脇芽が残されて強い結果枝が作られるので多収穫が可能になるものである。
【００２３】主枝若しくは側枝の花芽の下に発生した最も強い脇芽を選んで残し、その他の脇芽を僅かに残して切除することにより新たに発生する脇芽を側枝に生育し、これに将来の結果枝を発生させることが出来る。
【００２４】主枝又は側枝に数本の側枝を仕立てて、枝間は適宜な透き間を作ることが出来る。
【００２５】数本の主枝若しくは側枝に、常時、着果した状態を維持する事が出来る。
【００２６】高設架台の高さが３０乃至４０センチメートルの高設栽培をした場合にも、花芽の上２枚目の葉の直ぐ上で剪定されるので主枝及び残された強い脇芽から生育した側枝の高さは管理困難な程にならずに、作業の効率がよくなる。
【図面の簡単な説明】
【図１】第一段階でトマトの主枝を剪定する箇所を示すトマトの正面図
【図２】第二段階で最も強い脇芽から生育した側枝を剪定する箇所を示すトマトの正面図
【図３】第三段階で収穫が終了した枝を剪定する箇所を示すトマトの正面図。
【符号の説明】
１，．．主枝
２ａ，２ｂ．．．側枝
３ａ，３ｂ，３ｃ．．．花芽
４．．．脇芽
５ａ，５ｂ．．．花芽の上２枚目の葉の直上で剪定箇所
６．．．僅かに残してハサミで切除箇所
７．．．強い脇芽
８．．．切除箇所に生じる脇芽
９．．．高設架台
１０．．．培土
１１．．．根域
１２．．．結果枝
１３．．．収穫が終了した枝
【図１】
2004194556.tif 000003
【図２】
2004194556.tif 000004
【図３】
2004194556.tif 000005
【手続補正書】
【提出日】平成15年1月8日(2003.1.8)
【手続補正１】
【補正対象書類名】明細書
【補正対象項目名】特許請求の範囲
【補正方法】変更
【補正の内容】
【特許請求の範囲】
【請求項１】
第一段階では、培土に植えたトマト苗を最初は成長するに任せて、その主枝に最初についた花芽から２枚目の葉の直上で茎を剪定し、第二段階では、前記主枝の最も強い脇芽から側枝を生育し、この側枝の最初に付いた花芽から２枚目の葉の直上で茎を剪定し、第三段階では、花芽の収穫が終了した枝は剪定して除去し、以降第一段階と第二段階と第三段階を繰り返すことにより収穫量の増量を可能にするトマトの収穫量増量栽培方法。
【請求項２】
高設栽培、養液土耕栽培、ロックウール栽培、水耕栽培のいづれか一の栽培方法でトマト苗を植えることを特徴とする請求項１に記載のトマトの収穫量増量栽培方法。
【請求項３】
主枝若しくは側枝の花芽の下に発生した最も強い脇芽を選んで残し、その他の脇芽を僅かに残して切除することにより新たに発生する脇芽を将来の結果枝に生育することを特徴とする請求項１に記載のトマトの収穫量増量栽培方法。
【手続補正２】
【補正対象書類名】明細書
【補正対象項目名】０００１
【補正方法】変更
【補正の内容】
【０００１】
【発明の属する技術分野】本発明に係るトマトの収穫増量栽培方法は、高設栽培、養液土耕栽培、ロックウール（無機質の培地）栽培、水耕栽培において収穫量を増加するための管理容易な作業性がよい栽培方法に関するものである。


【手続補正３】
【補正対象書類名】明細書
【補正対象項目名】０００２
【補正方法】変更
【補正の内容】
【０００２】
【従来の技術】ナスの栽培方法として一芽切り返し法、キュウリの栽培方法として摘芯栽培法等がある。「切り返し」や「摘芯」は剪定の技術である。トマトの多収穫のための栽培方法としては、高設栽培、養液土耕栽培、ロックウール（無機質培地）栽培、水耕栽培が適している事が知られている。例えば、トマトの水耕栽培を例に取れば、特開平９−６０号の発明の名称「トマト類の栽培方法」、特開平８ー４７３３４号の発明の名称「トマトの栽培方法」、特開平６−１８１６３５号の発明の名称「植物栽培方法」等がある。トマトの高設栽培の例として、特開平０５−３０８６０号の発明の名称「果菜類の振り分け栽培方法」がある。


【手続補正４】
【補正対象書類名】明細書
【補正対象項目名】０００３
【補正方法】変更
【補正の内容】
【０００３】
【発明が解決しようとする課題】本発明は、地上高３０乃至４０センチメートルになる高設栽培装置の培土に植えても作業性がよく多収穫が可能なトマトの栽培方法を提案しようとするものである。本発明は実施例に示すごとく、高設栽培による管理容易な収穫の増量可能な栽培方法を提案しているものであるが、この発明を、養液土耕栽培、ロックウール栽培、水耕栽培にも適応する事が出来る栽培方法として開発しようとするものである。


【手続補正５】
【補正対象書類名】明細書
【補正対象項目名】０００４
【補正方法】変更
【補正の内容】
【０００４】
【課題を解決するための手段】本発明に係るトマトの収穫増量可能な栽培方法は、上記の課題を解決するために、第一段階では、培土に植えたトマト苗を最初は成長するに任せて、その主枝に最初についた花芽から２枚目の葉の直上で茎を剪定し、主枝に最初に発生した花芽を結果枝に仕立てる。第二段階では、その花芽の下に発生した最も強い脇芽を選んで残し、前記の脇芽に最初に付いた花芽から２枚目の葉の直上で茎を剪定し、花芽の下にある主枝又は側枝に発生している最も強い脇芽を選んで残し、第三段階では、花芽の収穫が終了した枝は剪定して除去し、以降主枝及び側枝において、第一段階から第三段階までを管理して、主枝及び側枝から発生した花芽に付いた実の生育状態を見て判断し、ピンポン玉大に生育させた段階で主枝及び側枝の最も強い脇芽を選んで側枝に生育してその側枝に発生した花芽を利用する事を繰り返して収穫量の増量を可能にするものである。


【手続補正６】
【補正対象書類名】明細書
【補正対象項目名】０００６
【補正方法】変更
【補正の内容】
【０００６】請求項２に記載の本発明の実施態様は、高設栽培、養液土耕栽培、ロックウール栽培、水耕栽培のいづれか一の栽培方法でトマト苗を植えることを特徴とする請求項１に記載のトマトの収穫量増量栽培方法である。


【手続補正７】
【補正対象書類名】明細書
【補正対象項目名】００１０
【補正方法】変更
【補正の内容】
【００１０】第二段階では、主枝のその花芽の下に発生した最も強い脇芽を選んで残し、側枝に生育する。その場合には、花芽の直下の脇芽若しくは培土表面に延びた主枝の下から二番目あたりの脇芽が最も強く成長するので、前記の花芽に付いた実をピンポン玉大に生育させて強い脇芽を一本選んで残すようにする。その他の小さい脇芽を僅かに残してハサミで切除する。その場合に脇芽を茎から５〜６ミリメートル残してハサミで切除する事が肝要である。新芽を結果枝に利用するために、脇芽をもぎ取らないように注意することが必要である。


【手続補正８】
【補正対象書類名】明細書
【補正対象項目名】００１１
【補正方法】変更
【補正の内容】
【００１１】前記の強い脇芽に最初に付いた花芽から２枚目の葉の直上で茎を剪定し、前記の花芽に付いた実をピンポン玉大に生育させてその花芽の下にある主枝又は側枝に発生している最も強い脇芽を選んで残す。主枝若しくは側枝から強い脇芽を選ぶタイミングとしては、花芽の実の生育程度を見て判断し、そして、第一段階と同様に、新たに発生する脇芽を結果枝に仕立てるためにその他の小さい脇芽を茎から僅かに５〜６ミリメートル残してハサミで切除し、その僅かに残った脇芽に発生する新脇芽を伸長させるようにする。


【手続補正９】
【補正対象書類名】明細書
【補正対象項目名】００１３
【補正方法】変更
【補正の内容】
【００１３】
【実施例】添付図面は、本発明に係るトマトの収穫量増量栽培方法の実施例について図示している。図１は、第一段階でトマトの主枝を剪定する箇所及び強い脇芽を示すトマトの正面図である。図２は、第二段階で花芽の下の主枝に発生した最も強い脇芽から生育した側枝を剪定する箇所を示すトマトの正面図である。図３は、第三段階で収穫が終了した枝を剪定する箇所を示すトマト正面図である。図４は、主枝に発生した側枝の結果枝を示すトマトの正面図である。
【手続補正１０】
【補正対象書類名】明細書
【補正対象項目名】００１６
【補正方法】変更
【補正の内容】
【００１６】第二段階では、主枝１の中で最も強い脇芽７を残して、これを側枝２ａに生育して２番目の花芽３ｂを発生させるようにする課程である。その場合には、花芽３ａの実がピンポン玉大になるとその花芽の直下の脇芽７若しくは培土表面に延びた主枝の下から二番目あたりの最も成長している強い脇芽７を一本選んで残すようにする。その他の小さい脇芽４を僅かに残してハサミで切除する。その場合に脇芽４を茎から５〜６ミリメートル残してハサミで切除する事が肝要である。何故なら、僅かに残した脇芽から二次的、三次的に発生する脇芽８の内強いものを側枝に生育し、その側枝に発生する花芽を後の結果枝に仕立てる可能性があるからである。


【手続補正１１】
【補正対象書類名】明細書
【補正対象項目名】００１７
【補正方法】変更
【補正の内容】
【００１７】図１，図２に示すように、前記の花芽３ａの実を観察してその下に発生した最も強い脇芽７を側枝２ａに生育して、その側枝に２番目の花芽３ｂが発生し、この側枝２ａに最初に発生した花芽３ｂから２枚目の葉の直上５ｂで茎を剪定し除去する。


【手続補正１２】
【補正対象書類名】明細書
【補正対象項目名】００１８
【補正方法】変更
【補正の内容】
【００１８】更に第２の側枝２ｂ，２ｃ．．．を生育する場合には、いづれかの結果枝１２の花芽３ａ，３ｂ，３ｃ．．．の実１４がピンポン玉大になるとその花芽のある主枝又は側枝に発生している最も強い脇芽を選んで残し、同様に、新たに発生する強い脇芽を側枝として生育し、これに花芽を発生させることにより、これを結果枝に仕立てる事が出来る。そのために、その他の小さい脇芽８を茎から僅かに５〜６ミリメートル残してハサミで切除し、その僅かに残った脇芽に発生する新脇芽を伸長させるようにする。


【手続補正１３】
【補正対象書類名】明細書
【補正対象項目名】００２３
【補正方法】変更
【補正の内容】
【００２３】主枝若しくは側枝の花芽に付いた実がピンポン玉大になるとその下に発生した最も強い脇芽を選んで残し、その他の脇芽を僅かに残して切除することにより新たに発生する脇芽を側枝に生育し、これに将来の結果枝を発生させることが出来る。


【手続補正１４】
【補正対象書類名】明細書
【補正対象項目名】００２６
【補正方法】変更
【補正の内容】
【００２６】養液土耕栽培、ロックウール栽培、水耕栽培のいづれか一の栽培方法でも、高設架台の高さが３０乃至４０センチメートルの高設栽培をした場合にも、花芽の上２枚目の葉の直ぐ上で剪定されるので主枝及び残された強い脇芽から生育した側枝の高さは管理困難な程にならずに、作業の効率がよくなる。


【手続補正１５】
【補正対象書類名】明細書
【補正対象項目名】図４
【補正方法】追加
【補正の内容】
【図４】主枝に発生した側枝の結果枝を示すトマトの正面図
【手続補正１６】
【補正対象書類名】明細書
【補正対象項目名】符号の説明
【補正方法】変更
【補正の内容】
【符号の説明】
１，．．主枝
２ａ，２ｂ，２ｃ．．．側枝
３ａ，３ｂ，３ｃ．．．花芽
４．．．脇芽
５ａ，５ｂ．．．花芽の上２枚目の葉の直上で剪定箇所
６．．．僅かに残してハサミで切除箇所
７．．．強い脇芽
８．．．切除箇所に生じる脇芽
９．．．高設架台
１０．．．培土
１１．．．根域
１２．．．結果枝
１３．．．収穫が終了した枝
１４．．．実
【手続補正１７】
【補正対象書類名】図面
【補正対象項目名】図４
【補正方法】追加
【補正の内容】
【図４】
2004194556.tif 000006